(57)【要約】【課題】例えば茶樹などの被撒布対象に薬液を効率よくしかも確実に撒布することの出来る薬液噴射用ノズル及び薬液撒布装置を提供する。【解決手段】薬液の噴射孔噴射孔が、ノズル管の外周において周方向に延びるスリット状に形成されたノズル管を備え、このノズル管が、走行綸を備えた機体に対して、先端側に向かうに従って機体の前進方向とは反対側に向かって斜め下方に傾斜するように取り付けられ、且つこのノズル管が、機体に対して上下方向に所定角度揺動可能に設けられるとともに、薬液噴射用ノズルのノズル管が、コイルスプリングを介してその先端側が下方に向かうように付勢されている。【選択図】  図２
2004267812.tif 000002
【特許請求の範囲】
【請求項１】
ノズル管の先端部に薬液の噴射孔が備えられた薬液噴射用ノズルにおいて、噴射孔が、ノズル管の外周において周方向に延びるスリット状に形成されていることを特徴とする薬液噴射用ノズル。
【請求項２】
ノズル管がノズル管本体とそのノズル管本体の先端部に回動可能に設けられた回転筒部とから構成され、噴射孔が前記回転筒部に設けられて、ノズル管本体に対する回転筒部の回動により、噴射孔の方向を変更可能としていることを特徴とする請求項１に記載の薬液噴射用ノズル。
【請求項３】
請求項１または２に記載の薬液噴射用ノズルが、走行綸を備えた機体に取り付けられていることを特徴とする薬液撒布装置。
【請求項４】
機体に取り付けられている薬液噴射用ノズルのノズル管が、先端側に向かうに従って機体の前進方向とは反対側に向かって斜め下方に傾斜していることを特徴とする請求項３に記載の薬液撒布装置。
【請求項５】
薬液噴射用ノズルのノズル管が、機体に対して上下方向に所定角度揺動可能に設けられるとともに、薬液噴射用ノズルのノズル管が、付勢手段を介してその先端側が下方に向かうように付勢されていることを特徴とする請求項３または４に記載の薬液撒布装置。
【発明の詳細な説明】
【０００１】
【産業上の利用分野】
本発明は、主として茶畑に薬液を撒布するのに用いる薬液噴射用ノズル及びその薬液噴射用ノズルを備えてなる薬液撒布装置に関する。
【０００２】
【従来の技術】
一般にこの種の薬液噴射用ノズルを備えた薬液撒布装置は、機体の下部に走行綸が設けられると共に、機体の前部には、側方に張り出すノズルフレームが設けられている。
【０００３】
そしてこのノズルフレームには、薬液の供給管が配設され、この供給管の途中には、下方に延びる複数のノズル管が連結されると共に、このノズル管の下端には、複数の小孔からなる噴射孔が設けられて、この噴射孔から薬液が霧状に噴霧されるようにしている。
【０００４】
（特許文献１参照）
【０００５】
【特許文献１】
特開平１０−１５５４０５号公開公報
【０００６】
【発明が解決しようとする課題】
ところで前述の公開公報に示されている薬液撒布装置では、ノズル管の噴射孔から噴霧される薬液が円錐状に広がりながら霧状に噴霧されることから、走行しながらでの噴霧作業を行なう場合、薬液の撒布むらが生じ易くて、薬液の噴霧効率が悪く、薬液の使用量が増大するなどの不具合がある。
【０００７】
また特に茶園の茶樹に棲息する病害虫は、主として葉の裏や枝に棲息しているが、茶樹にあっては、摘採面の茶葉が混んでいるために、摘採面の葉の上方から薬液を撒布する方法では、薬液を葉の裏面や枝あるいは株元に撒布することが困難であり、充分な駆除を行なおうとすると、どうしても薬液の撒布量が増大する問題がある。
【０００８】
そこで、茶樹の内部に効率良く薬液を撒布するために、前述の公開公報に示された薬液撒布装置のノズル管の下端部を例えば樹木内に突っ込んだ状態で走行させる方法もあるが、以上のように、下方に延びるノズル管を樹木内に突っ込んだ状態で走行させるた場合には、ノズル管と樹木に対するノズル管の接触抵抗が大きくて、薬液撒布走行が円滑に行なえない場合もあるし、場合によっては、ノズル管が破損する不具合も考えられる。
【０００９】
本発明は以上の実情に鑑みて開発したものであって、目的とするところは、薬液を効率よくしかも例えば茶樹などの被撒布対象に確実に撒布することの出来る薬液噴射用ノズル及び薬液撒布装置を提供するにある。
【００１０】
【課題を解決するための手段】
以上の目的を達成するために、請求項１記載の発明は、ノズル管の先端部に薬液の噴射孔が備えられた薬液噴射用ノズルにおいて、噴射孔が、ノズル管の外周において周方向に延びるスリット状に形成されていることを特徴とするものである。
【００１１】
また請求項２に記載の発明は、請求項１に記載のノズル管がノズル管本体とそのノズル管本体の先端部に回動可能に設けられた回転筒部とから構成され、噴射孔が前記回転筒部に設けられて、ノズル管本体に対する回転筒部の回動により、噴射孔の方向を変更可能としていることを特徴とするものである。
【００１２】
請求項３に記載の発明は、請求項１または２に記載の薬液噴射用ノズルが、走行綸を備えた機体に取り付けられていることを特徴とするものである。
【００１３】
請求項４に記載の発明は、請求項３に記載の薬液撒布装置において、機体に取り付けられている薬液噴射用ノズルのノズル管が、先端側に向かうに従って機体の前進方向とは反対側に向かって斜め下方に傾斜していることを特徴とするものである。
【００１４】
請求項５に記載の発明は、請求項３または４に記載の薬液噴射用ノズルのノズル管が、機体に対して上下方向に所定角度揺動可能に設けられるとともに、薬液噴射用ノズルのノズル管が、付勢手段を介してその先端側が下方に向かうように付勢されていることを特徴とするものである。
【００１５】
【発明の実施の形態】
図１から図９において符号１で示す薬液撒布装置は、金属パイプから構成された機体２の下部に左右一対の走行綸２１を回転自由に取り付けて成る自走式のものであって、機体２の上部には、機体２に対して前方に向かって延びる操作ハンドル２２が組みつけられると共に、横方向に延びる支持杆２３が、機体２に対して上下方向に移動可能に組みつけられている。
【００１６】
そしてこの薬液撒布装置１を構成する前述の支持杆２３には、本発明にかかる薬液噴射用ノズル３が３台取り付けられている。
【００１７】
支持杆２３の機体２に対する取り付け側端部には、バランスウエイト２４が組み付けられている。
【００１８】
薬液噴射用ノズル３は、薬液の噴射口４が備えられたノズル管３０を有している。
【００１９】
このノズル管３０は、金属パイプから構成されるノズル管本体３１と、このノズル管本体３１の先端部に装着される有底筒状の回転筒３２とから構成され、ノズル管本体３１の先端部外周面に形成された雄ねじに対して回転筒３２の内周面に形成された雌ねじを螺合することで、回転筒３２はノズル管本体３１に対して回動可能に設けられており、回転筒３２の内周面とノズル管本体３１の先端部外周面との間には、リング状のシール部材３３が介装されている。
【００２０】
ノズル管本体３１は、図４にも示すように、回転筒３２の取り付けられる先端部位が約１２５度屈曲しており、その屈曲部分３１Ｆの先端に回転筒３２が装着されている。
【００２１】
回転筒３２の外周には、図８にも示すように、周方向に延びてほぼ１８０度にわたって開口するスリット状の噴射孔４が設けられているのであって、実施形態では、この噴射孔４に茶葉や枝が侵入するのを防ぐために、噴射口４の開口幅Ｗを０．２ｍｍとしている。
【００２２】
斯くして、噴射孔４からは、薬液がほぼ１８０度に広がりながら膜状（カーテン状）に噴射され、またノズル管本体３１に対する回転筒３２の回動により、噴射孔４の方向が変更される。
【００２３】
また以上の薬液噴射用ノズル３のノズル管３０は、機体２の支持杆２３に対して、支持部材５を介してスライド可能で且つ上下方向に所定角度揺動可能に取り付けられると共に、薬液噴射用ノズル３のノズル管３０が、付勢手段を介してその先端側が下方に向かうように付勢されている。
【００２４】
支持部材５は、図３、図７に示すように、支持杆２３にスライド可能に挿通された保持筒５１と、この保持筒５１に回動自由に支持された支持体５２と、前述の付勢手段を構成するコイルスプリング５３とが備えられ、保持筒５１は、その長さ方向一端部に螺着したボルト５１Ｆの締め付けにより、支持杆２３に対して固定されるようにしている。
【００２５】
また保持筒５１の外周には、図５に示すように、周方向に延びるガイド孔５１Ａが設けられ、支持体５２に装着したボルト５２Ｆの先端部をガイド孔５１Ａに突入させることで、保持筒５１に対する支持体５２の回動を所定角度（実施形態では、２４０度）に規制している。
【００２６】
コイルスプリング５３は、保持筒５１の外周に嵌めこまれ、その一端を支持体５２に係止し、他端側を保持筒５１の長さ方向一端に装着した係止部材５４にそれぞれ係止し、コイルスプリング５３のばね力により、支持体５２を保持筒５１に対して所定の回動方向に付勢させている。
【００２７】
支持体５２には、クランプ部材５５が取り付けられて、このクランプ部材５５にノズル管３３の基端部が挟み止められているのであって、図２にも示すように、ノズル管３３は、クランプ部材５５に挟み止められた時点で、先端側に向かうに従って機体２の前進方向とは反対側に向かって斜め下方に傾斜し、且つ屈曲部分３１Ｆが水平状態に配置されて、噴射口４が下方を向くように設定されている。
【００２８】
各ノズル管の基端部には、薬液供給パイプ３４が接続されている。
【００２９】
薬液供給パイプ３４の入口側は、操作ハンドル２２に取り付けられた接続管３５に接続されており、またこの接続管３２は、薬液撒布作業時に、薬液タンク内の薬液を圧送するための薬液ポンプから延びる薬液供給ホース（図示せず）が接続される。
【００３０】
また図に示す実施形態では、図３にも示すように、支持杆３の長さ方向中間部には、茶樹Ｆの摘採面Ｇに載るガイドブレード２５が支持ブラケット２６を介して取り付けられている。
このガイドブレード２５は、薬液撒布装置１の撒布作業時に支持杆２３のノズル管３０の取り付け側が下方に沈み込むのを抑制するためのものであって、このガイドブレード２５により、薬液撒布装置１の走行が円滑に行なえる。
【００３１】
尚、このガイドブレード２５は、図６にも示すように、その前端部が斜め上方に屈曲している。
【００３２】
また支持ブラケット２６は支持杆３に対してスライド可能であって、支持ブラケットの支持杆３に対するスライドにより、ガイドブレード２５のセット位置が変更出来るようになっている。
【００３３】
次に以上の薬液撒布装置１により茶樹に薬液を撒布する
まず、薬液ポンプから延びる薬液供給ホース（図示せず）を接続管３５に接続すると共に、茶樹Ｆの畝の高さにあわせて、機体２に対する支持杆２３の高さ、並びに支持杆２３対する各ノズル管３０のセット位置をそれぞれ適宜調整して、図１に示すように、各ノズル管３０の先端部が茶樹Ｆ内に入り込んで、ガイドブレード２５が茶樹Ｆの摘採面Ｇに載る状態にセットする。
【００３４】
そして作業者が操作ハンドル２２を手で引っ張って、薬液撒布装置１を茶樹Ｆの畝に沿って走行綸２１を介して移動させるのであって、この時、ノズル管３０の噴射噴射孔４が下方に向けられていると、茶樹Ｆの枝や幹に薬液を集中して撒布することが出来、また噴射孔４が例えば上方に向けられていると、茶葉の裏面に薬液を集中して撒布することが出来るのである。
【００３５】
そして噴射孔４が、周方向に延びるスリット状に形成されていることから、この噴射孔４から撒布される薬液は、ほぼ１８０度に広がる膜状となり、走行しながらの撒布作業を行なうも、薬液がむらなくしかも確実に茶樹の枝や幹若しくは茶葉の裏面に撒布することが出来る。
【００３６】
また以上の薬液撒布装置１にあっては、支持杆２３に取り付けられているノズル管３０が、先端側に向かうに従って機体２の前進方向とは反対側に向かって斜め下方に傾斜し、且つ噴射口４が設けられている屈曲部分３１Ｆが水平状態に配置されているので、走行時、ノズル管３０に加わる抵抗が小さく、ノズル管３０が走行途中に例えば太い枝などに衝突した場合でも、ノズル管３０が、コイルスプリング５３のバネ力に抗してその先端側が上方を向く方向に揺動して、衝突した枝を避けるので、ノズル管３０が損傷したりあるいは茶葉の枝や幹が傷つくのを抑制することが出来る。
【００３７】
また噴射口４が開口幅Ｗの非常に狭いスリット状に形成されているので、茶葉が噴射口４に詰まるような不具合も抑制することが出来る。
【００３８】
また茶樹Ｆの摘採面Ｇに載るガイドブレード２５が支持杆２３に取り付けられているので、薬液撒布装置１による撒布作業時に装置１が例えばバランスを崩して茶樹側に傾こうとしてもガイドブレード２５で受け止められて、支持杆２３におけるノズル管３０取り付け側が下方に沈み込むのが抑制され、薬液撒布装置１の走行が円滑に行なえる。
【００３９】
以上の実施形態では、作業者が操作ハンドル２２を手で引っ張って移動させるようにしたが、これに限定されるものではなく、例えば図１０、図１１に示すように、エンジン駆動の乗用式薬液撒布装置１０に本発明を適用してもよい。
【００４０】
即ち、図１０及び図１１に示す実施形態では、エンジン駆動の乗用式薬液撒布装置１０の機体２０の前部に、油圧シリンダ１１を介して昇降するクロスフレーム１２を設けて、このクロスフレーム１２に支持杆２３０を車幅方向に架設し、この支持杆２３０に薬液噴射用ノズル３のノズル管３０を３本取り付けているのであって、ノズル管３０の支持杆２３０への取り付け仕様は、図１〜図９に示す実施形態と基本的には同じ構造としている。
【００４１】
以上の乗用式薬液撒布装置１０にあっても、前記した図１〜図９に示す実施形態と同様の作用効果を期待することが出来る。
【００４２】
また図１２及び図１３に示す別の実施形態は、本発明にかかる薬液噴射用ノズル３を手持ち式の薬液撒布装置１００に取り付けたものであって、具体的には、手持ち式の薬液撒布装置１００を、薬液通路を備えた竿状の手持ちハンドル１０１と、このハンドル１０１の先端に接続された略Ｌ字状の薬液供給管１０２とから構成され、手持ちハンドル１０１の基端には、薬液ポンプから延びる薬液供給ホースＨが接続され、また薬液供給管１０２には、２個のノズル管３０が所定間隔開けて接続されたものである。
【００４３】
以上の薬液撒布装置１００にあっては、手持ちハンドル１０１を手で持ち、各ノズル管３０の先端部が茶樹Ｆ内に入り込ませた状態で、この薬液撒布装置１００を茶樹Ｆの畝に沿って移動させながら、薬液の撒布を行なうのである。
【００４４】
また図１から図９に示す実施形態では、ノズル管３０の回転筒３２の外周に周方向に延びてほぼ１８０度にわたって開口するスリット状の噴射孔４を所形成したが、これに限定されるものではなく、薬液の撒布対象に対応して、例えば周方向に２４０度にわたって開口する噴射孔４を設けてもよいし、あるいは周方向に１２０度にわたって開口する噴射孔４を設けてもよい。
【００４５】
また図１から図９に示す実施形態では、ノズル管３０を構成する回転筒３２の外周に周方向に延びてほぼ１８０度にわたって開口するスリット状の噴射孔４を一箇所形成したが、これに限定されるものではなく、例えば図１４及び図１５に示すように、ノズル管３０の先端部外周の上部と下部に、周方向に延びてほぼ１８０度にわたって開口するスリット状の噴射孔４をそれぞれ個別に形成してもよく、このような構成にすると、図１５において１点鎖線で示すように、ノズル管３０の先端部を中心にして、３６０度にわたって薬液を膜状に撒布することが出来、これにより、前記した実施形態のように、回転筒３２をノズル管本体３１の先端部に回転可能に設ける必要が解消されるので、それだけ薬液噴射用ノズル３の構造が簡単となる。
【００４６】
また以上の実施形態では、噴射孔４の開口幅Ｗを０．２ｍｍとしたが、これに限定されるものではなく、少なくとも噴射孔４に被撒布対象物が詰まることのない開口幅Ｗであればよい。
【００４７】
【発明の効果】
以上のごとく、請求項１に記載の発明によれば、ノズル管の先端部に薬液の噴射孔が備えられた薬液噴射用ノズルにおいて、噴射孔がノズル管の外周において周方向に延びるスリット状に形成されていることにより、噴射口から噴射される薬液が膜状に撒布することが可能となって、走行しながらの撒布作業を行なうも、薬液がむらなくしかも確実に茶樹の枝や幹若しくは茶葉の裏面などの被撒布対象物に撒布することが出来る。
【００４８】
請求項２に記載の発明によれば、請求項１に記載のノズル管が、ノズル管本体とそのノズル管本体の先端部に回動可能に設けられた回転筒部とから構成され、噴射孔が前記回転筒部に設けられて、ノズル管本体に対する回転筒部の回動により、噴射孔の方向を変更可能としていることにより、請求項１に記載の発明の効果に加え、回転筒部の回動操作だけで、その噴射方向を例えば下方から上方に簡単に変更することが出来、被撒布対象物に応じて、その噴射変更を変更することで、的確な薬液の撒布が行なえる。
【００４９】
請求項３に記載の発明によれば、請求項１または２に記載の薬液噴射用ノズルが、走行綸を備えた機体に取り付けられていることにより、走行しながら、薬液をむらなくしかも確実に茶樹の枝や幹若しくは茶葉の裏面などの被撒布対象物に撒布することが出来る。
【００５０】
請求項４に記載の発明によれば、請求項３に記載の薬液撒布装置において、機体に取り付けられている薬液噴射用ノズルのノズル管が、先端側に向かうに従って機体の前進方向とは反対側に向かって斜め下方に傾斜していることにより、請求項３に記載の発明の効果に加え、ノズル管の先端がわを例えば茶樹内に突っ込んだ状態で走行しても、ノズル管に加わる抵抗が小さく、結果として薬液噴射用ノズルが損傷したりあるいは茶樹などの被撒布対象物に傷がつくのを抑制することが出来る。
【００５１】
請求項５に記載の発明によれば、請求項３または４に記載の薬液撒布装置において、薬液噴射用ノズルのノズル管が、機体に対して上下方向に所定角度揺動可能に設けられるとともに、薬液噴射用ノズルのノズル管が、付勢手段を介してその先端側が下方に向かうように付勢されていることにより、請求項３または４に記載の発明の効果に加え、ノズル管が走行途中に例えば太い枝などに衝突した場合でも、ノズル管が、付勢手段の付勢力に抗してその先端側が上方を向く方向に揺動して、衝突した枝を避けることが出来るので、薬液噴射用ノズルが損傷したりあるいは茶樹などの被撒布対象物に傷がつくのをより一層抑制することが出来る。
【図面の簡単な説明】
【図１】本発明にかかる薬液撒布装置の一実施形態を示す正面図。
【図２】同、側面図。
【図３】同、要部の拡大正面図。
【図４】図３におけるＡ−Ａ線拡大断面図。
【図５】図３におけるＢ−Ｂ線拡大断面図。
【図６】図３におけるＣ−Ｃ線拡大断面図。
【図７】図４におけるＤ−Ｄ線拡大断面図。
【図８】薬液噴射用ノズルの要部の正面図。
【図９】薬液撒布装置の仕様状態を概略的に示す斜視図。
【図１０】本発明にかかる薬液撒布装置の他の実施形態を示す斜視図。
【図１１】図１０に示す薬液撒布装置の要部の説明図。
【図１２】本発明にかかる薬液撒布装置の他の実施形態を示す斜視図。
【図１３】本発明にかかる薬液撒布装置の他の実施形態を示す要部の平面図。
【図１４】本発明にかかる薬液噴射用ノズルの他の実施形態を示す要部の拡大断面図。
【図１５】同、要部の拡大正面図。
【符号の説明】
１・１０・１００  薬液撒布装置
２      機体
２１    走行綸
３      薬液噴射用ノズル
３０    ノズル管
４      噴射口
５      支持部材
Ｆ      茶樹
【図１】
2004267812.tif 000003
【図２】
2004267812.tif 000004
【図３】
2004267812.tif 000005
【図４】
2004267812.tif 000006
【図５】
2004267812.tif 000007
【図６】
2004267812.tif 000008
【図７】
2004267812.tif 000009
【図８】
2004267812.tif 000010
【図９】
2004267812.tif 000011
【図１０】
2004267812.tif 000012
【図１１】
2004267812.tif 000013
【図１２】
2004267812.tif 000014
【図１３】
2004267812.tif 000015
【図１４】
2004267812.tif 000016
【図１５】
2004267812.tif 000017